(57)【特許請求の範囲】
【請求項１】
複数のオブジェクトが配列されて標準画面に重ねて表示される表示部と、
所定事象の発生を検出する検出部と、
前記検出部が前記所定事象として所定の経時および自機の傾きの少なくとも一方の発生を検出した場合に、前記表示部に表示されている前記複数のオブジェクトのうち当該所定事象に対応する対応オブジェクト以外の非対応オブジェクトを端部側に向かって移動させ、当該非対応オブジェクトが選択できないように一時的に重ねて表示させる表示制御部と、
を備えることを特徴とする携帯電子機器。
【請求項２】
請求項１に記載の携帯電子機器であって、
前記表示制御部は、前記非対応オブジェクトを前記端部側へ移動させてから所定時間経過した場合には、前記端部側に移動させた前記非対応オブジェクトを、前記標準画面上で前記中央側に配列表示される前記対応オブジェクトに向かって移動させることを特徴とする携帯電子機器。
【請求項３】
請求項２に記載の携帯電子機器であって、
前記表示制御部は、前記非対応オブジェクトを前記端部側から前記中央側へ移動させた後の前記標準画面上での前記オブジェクトの配列順番を、前記非対応オブジェクトが前記端部側へ移動される前の前記標準画面上での前記オブジェクトの配列順番と異ならせることを特徴とする携帯電子機器。
【請求項４】
請求項１に記載の携帯電子機器であって、
前記検出部は、所定の時刻になった場合に、前記所定事象の発生を検出することを特徴とする携帯電子機器。
【請求項５】
請求項１に記載の携帯電子機器であって、
外部からの音声を入力する入力部と、
前記入力部により入力された音声を認識する認識部と、備え、
前記検出部は、前記認識部が音声を認識した場合に、前記所定事象の発生を検出することを特徴とする携帯電子機器。
【請求項６】
請求項１に記載の携帯電子機器であって、
前記表示制御部は、前記検出部が検出した前記所定事象に応じて、前記オブジェクトが配列して表示される第１表示状態と、前記オブジェクトが配列して表示されない第２表示状態と、前記オブジェクトのうち一部のオブジェクトが配列して表示され、他のオブジェクトが配列して表示されない第３表示状態のいずれかに、前記オブジェクトの表示状態を遷移させることを特徴とする携帯電子機器。
【請求項７】
請求項６に記載の携帯電子機器であって、
前記表示制御部は、前記検出部が前記所定事象の発生を検出した場合に、
前記第１表示状態において配列して表示されているオブジェクトを全て移動させて、前記表示状態を前記第２表示状態に遷移させた後に、
前記第２表示状態にある前記オブジェクトのうちの一部のオブジェクトを移動させて、前記表示状態を前記第３表示状態に遷移させることを特徴とする携帯電子機器。
【請求項８】
請求項６に記載の携帯電子機器であって、
前記第１表示状態及び前記第３表示状態において配列して表示されるオブジェクトは、前記表示部の中央側に表示されることを特徴とする携帯電子機器。
【請求項９】
請求項７に記載の携帯電子機器であって、
前記表示制御部は、前記第３表示状態において配列されるオブジェクトの配列順番を、前記第１表示状態において配列されていたオブジェクトの配列順番と異ならせることを特徴とする携帯電子機器。
【請求項１０】
請求項６に記載の携帯電子機器であって、
前記表示制御部は、前記第２表示状態において、前記オブジェクトを前記表示部の端部に重ねて表示させることを特徴とする携帯電子機器。
【請求項１１】
請求項１０に記載の携帯電子機器であって、
前記表示制御部は、前記表示状態を前記第２表示状態から前記第３表示状態へ遷移させる際に、前記他のオブジェクトを前記端部に継続して表示させることを特徴とする携帯電子機器。
【請求項１２】
請求項６に記載の携帯電子機器であって、
前記オブジェクト毎の選択頻度に関する情報を記憶する記憶部を備え、
前記表示制御部は、前記第３表示状態において、前記使用頻度が所定値よりも多いオブジェクトを前記一部のオブジェクトとして表示させ、前記使用頻度が前記所定値よりも少ないオブジェクを前記他のオブジェクトとして表示させることを特徴とする携帯電子機器。
【請求項１３】
請求項６に記載の携帯電子機器であって、
前記検出部は、当該携帯電子機器の傾きを前記所定事象として、前記所定事象の発生を検出し、
前記表示制御部は、前記検出部により前記傾きが検出された場合に、前記第１表示状態と前記第２表示状態と前記第３表示状態の間で前記表示状態を遷移させることを特徴とする携帯電子機器。
【請求項１４】
請求項１に記載の携帯電子機器であって、
前記オブジェクトは、特定のアプリケーションと関連付けられ、少なくとも文字を表示するタグであることを特徴とする携帯電子機器。
【請求項１５】
請求項１に記載の携帯電子機器であって、
前記オブジェクトは、特定のアプリケーションまたは特定のアプリケーションのデータと関連付けられ、選択された場合に関連付けられた前記アプリケーションの起動、または、関連付けられた前記データを用いた処理の実行がおこなわれるアイコンであることを特徴とする携帯電子機器。
【請求項１６】
表示部を有する携帯電子機器による表示制御方法であって、
複数のオブジェクトを配列させて標準画面に重ねて前記表示部に表示するステップと、
所定事象として所定の経時および自機の傾きの少なくとも一方の発生を検出するステップと、
前記表示部に表示されている前記複数のオブジェクトのうち検出された前記所定事象に対応する対応オブジェクト以外の非対応オブジェクトを端部側に向かって移動させ、当該非対応オブジェクトが選択できないように一時的に重ねて表示させるステップと、
を含むことを特徴とする表示制御方法。
【発明の詳細な説明】
【技術分野】
【０００１】
本発明は、表示部を有する携帯電子機器およびその携帯電子機器による表示制御方法に関する。
【背景技術】
【０００２】
携帯電子機器の一例である携帯電話機は、例えば、表示部に標準画面（携帯電話機の電源を立ち上げたとき等に表示される非通話時の画面、ｗａｌｌｐａｐｅｒ、ｄｅｓｋｔｏｐ、ｓｔａｎｄｂｙ  ｓｃｒｅｅｎともいう）を表示する。そして、この携帯電話機の中には、文字が記載されたタグ等のオブジェクトを標準画面に重ねて（貼り付けて）表示させるものがある（特許文献１参照）。
【先行技術文献】
【特許文献】
【０００３】
【特許文献１】特開２００５−５１３１６号公報
【発明の概要】
【発明が解決しようとする課題】
【０００４】
ところで、複数のオブジェクトとして複数のタグを標準画面に貼り付けて表示させた場合には、表示された複数のタグをユーザが区別し難い（例えば、似たような文字が記載されている複数のタグがある場合には、特に区別し難い）。このため、ユーザが所望のタグを抽出したくても、抽出するのに時間を要することとなる。【０００５】
本発明は、かかる課題に鑑みてなされたものであり、その目的とするところは、標準画面に表示された複数のオブジェクトの中から、使用状況に適したオブジェクトをユーザに迅速に抽出させることにある。
【課題を解決するための手段】
【０００６】
上述した課題を解決するために、本発明に係る携帯電子機器は、標準画面にオブジェクトが重ねて表示される表示部と、所定事象の発生を検出する検出部と、前記検出部が検出した前記所定事象に応じて、前記表示部に表示されている前記オブジェクトの配置を変更させる表示制御部と、を備える。【０００７】
また、本発明に係る携帯電子機器は、１つの態様において、前記表示制御部は、前記検出部が前記所定事象の発生を検出した場合に、当該所定事象に基づいて、前記表示部に表示されている前記オブジェクトのうち前記所定事象に対応する対応オブジェクト以外の非対応オブジェクトを前記標準画面上で移動させることが望ましい。【０００８】
また、本発明に係る携帯電子機器は、他の態様において、記表示制御部は、前記検出部が検出した前記所定事象に応じて、前記オブジェクトが配列して表示される第１表示状態と、前記オブジェクトが配列して表示されない第２表示状態と、前記オブジェクトのうち一部のオブジェクトが配列して表示され、他のオブジェクトが配列して表示されない第３表示状態のいずれかに、前記オブジェクトの表示状態を遷移させることが望ましい。【０００９】
また、上述した課題を解決するために、本発明に係る表示制御方法は、表示部を有する携帯電子機器による表示制御方法であって、前記表示部に表示される標準画面にオブジェクトを重ねて表示するステップと、所定事象の発生を検出するステップと、検出された前記所定事象に応じて、前記表示部に表示されている前記オブジェクトの配置を変更させるステップと、を含む。
【発明の効果】
【００１０】
本発明によれば、標準画面に表示された複数のオブジェクトの中から、使用状況に適したオブジェクトをユーザに迅速に抽出させることが可能となる。
【図面の簡単な説明】
【００１１】
【図１Ａ】図１Ａは、実施形態に係る携帯電話機の閉じられた状態の外観の一例を図解した図である。
【図１Ｂ】図１Ｂは、実施形態に係る携帯電話機の開けられた状態の外観の一例を図解した図である。
【図２】図２は、実施形態１に係る携帯電話機のシステム構成の一例を図解した図である。
【図３】図３は、実施形態１に係る貼り付けタグの表示制御を説明するためのフローチャートである。
【図４】図４は、実施形態１に係る表示部の状態遷移の一例を示す図である。
【図５】図５は、実施形態１に係る表示部の状態遷移の他の例を示す図である。
【図６Ａ】図６Ａは、実施形態２に係る携帯電話機の閉じられた状態の外観の一例を図解した図である。
【図６Ｂ】図６Ｂは、実施形態２に係る携帯電話機の開けられた状態の外観の一例を図解した図である。
【図７】図７は、実施形態２に係る携帯電話機のシステム構成の一例を図解した図である。
【図８】図８は、実施形態２に係る貼り付けタグの表示制御を説明するためのフローチャートである。
【図９】図９は、実施形態２に係る表示部の状態遷移の一例を示す図である。
【図１０】図１０は、標準画面上にアイコンを表示させる携帯電話機の外観の一例を図解した図である。
【図１１】図１１は、図１０に示す携帯電話機のシステム構成の一例を図解した図である。
【図１２】図１２は、図１０に示す携帯電話機の表示部の状態遷移の一例を示す図である。
【発明を実施するための形態】
【００１２】
以下に、図面を参照しながら、本発明に係る携帯電子機器および表示制御方法の実施形態について複数の例を挙げて説明する。なお、以下の各実施形態の説明において、同様の部位に対しては、同一の符号を付して、重複する説明を省略することがある。
【００１３】
＝＝実施形態１に係る携帯電話機の構成＝＝
図１Ａおよび図１Ｂは、本実施形態１に係る携帯電話機本体の外観図であって、図１Ａは閉じられた状態の外観図を、図１Ｂは開けられた状態の外観図をそれぞれ示す。図２は、本実施形態１に係る携帯電話機の主要回路の構成例を示すブロック図である。
【００１４】
携帯電話機１は、図１Ａ、図１Ｂおよび図２に示すように、本体ケース１１、通信部１２、音声部１３、表示部１４、入力手段としての操作部１５、記憶部としてのメモリ１６、制御部としての制御回路１７、および可動機構部１８を有している。
【００１５】
通信部１２は、送受信アンテナ１２１、および無線回路１２２により構成されている。送受信アンテナ１２１は、本体ケース１１の表示部１４のある側に内蔵されている。無線回路１２２は、電波を利用した無線通信で行うために、制御回路１７で処理された音声情報、ＩＤ、Ｗｅｂページデータの閲覧要求情報等を変調してアンテナ１２１により図示しない基地局に送信する。また、無線回路１２２は、基地局から無線により送信され、アンテナ１２１で受信したページデータや音声情報等の各種情報を復調して制御回路１７に出力する。
【００１６】
音声処理部１３は、音声処理回路１３１を有し、通話機能のために音声入力を行う入力部の一例であるマイクロフォン１３２と音声出力を行うスピーカ１３３が接続されている。音声処理回路１３１は、マイクロフォン１３２により入力した音声に対して所定の処理を行って制御回路１７に供給する。なお、音声処理回路１３は、マイクロフォン１３２から入力された音声を認識する認識部の機能を有する。また、音声処理回路１３１は、制御回路１７により供給された音声情報に対して所定の処理を行ってスピーカ１３３から出力させる。
【００１７】
図１Ｂに示すように、マイクロフォン１３２は、ケース本体１１の操作部１５の下部に配置され、スピーカ１３３は表示部１４の上部に配置されている。
【００１８】
表示部１４は、図１Ｂに示すように、ケース本体１１の上部側に配置された液晶表示装置（ＬＣＤ）等の表示デバイスを有し、通話機能のために入力した電話番号や各種メッセージ、テキストデータ等を含むタグなどを表示する。また、表示部１４は、たとえば最上段の１行分は、モードの種類、電波の強さ、電池残量等を表示するガイド表示行として用いられる。
【００１９】
特に、本実施形態１における表示部１４は、制御回路１７の制御に基づいて、標準画面上に貼り付けタグ（オブジェクトの一例）と呼ぶ所定の大きさのウィンドウを複数個、標準画面の背景表示に重ねて表示させることが可能である。なお、標準画面は、携帯電話機の電源を立ち上げたときの非通話時の画面（待受画面）であり、ｗａｌｌｐａｐｅｒ、ｄｅｓｋｔｏｐ、ｓｔａｎｄｂｙ  ｓｃｒｅｅｎともいう。
【００２０】
操作部１５は、図１Ｂに示すように、ケース本体１１の下部側に配置され、終了（終話）／電源キー１５ａ、開始（発呼）キー１５ｂ、数字等に対応した複数のテンキー１５ｃ、上下左右キー１５ｄ、センターキー１５ｅ等を有する。
【００２１】
メモリ１６は、たとえばＥＥＰＲＯＭを含んで構成され、通話やメールの送受信のための制御プログラム、インターネットブラウザ、メッセージデータ、名前および電話番号が登録されたアドレス帳等が記憶される。
【００２２】
メモリ１６には、さらに各貼り付けタグに対応した貼り付けタグデータ（オブジェクトデータの一例）が格納される。貼り付けタグデータは、貼り付けタグとして登録されたデータ毎に、そのデータに対するリンクデータの他、ウィンドウ内に表示される表示テキストデータ，記号データ，およびウィンドウ表示位置データ等がセットとなって構成される。
【００２３】
ここで、表示テキストデータは、メモリ１６内に格納した様々なデータ、またはその一部をユーザが操作部１５を通して選択し、その選択されたデータに含まれるテキストデータの中から所定の優先順位に従って決定したテキストデータである。ただし、表示部１４に表示される各ウィンドウ内に表示されるテキストデータの量には上限を設け、本実施形態１ではその上限値が８文字なので、決定されたテキストデータの上位８文字が表示テキストデータとなる。
【００２４】
記号データは、貼り付けタグが表示部１４に表示されるときにユーザにタグの属性を識別が容易となるように設定される識別記号であり、記号データと別に格納される画像データやアイコン（ＩＣＯＮ）等の記号が関連付けられている。
【００２５】
制御回路１７は、マイクロコンピュータを主体して構成されて携帯電話機１の全体の制御を行う。たとえば、制御回路１７は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。
【００２６】
制御回路１７は、所定事象の発生（例えば、所定の時刻になった、又は、ユーザが発した音声を認識した）を検出する検出部の機能を有する。また、制御回路１７は、メモリ１６に格納された貼り付けタグデータと、発生した所定事象（例えば、所定の時刻になった場合）とに基づいて、標準画面上に貼り付けられた貼り付けタグを移動させる表示制御部の機能を有する。つまり、制御回路１７は、検出した所定事象と、メモリ１６に格納された貼り付けタグデータとに基づいて、標準画面に表示された複数の貼り付けタグのうち前記所定事象に関連しない貼り付けタグを、表示部１４の退避位置に移動させる制御を行う（当該制御の詳細については、後述する）。
【００２７】
可動機構部１８は、本体ケース１１の一部分（表示部１４を含む側）と本体ケース１１のもう一方の部分（操作部１５を含む側）とを水平回転可能に支持する。これにより、たとえば図１Ａのように閉じられた状態から本体ケース１１の表示部側を一方向に水平回転させることにより、図１Ｂのとおり開けられた状態とすることが可能となる。
【００２８】
＝＝所定事象の発生に応じた貼り付けタグの表示制御＝＝
上述したように、標準画面には複数の貼り付けタグが貼り付けられる。しかし、複数の貼り付けタグが標準画面に貼り付けて表示されている場合には、タグに記載されている文字数が限られているため、貼り付けタグをユーザが区別し難い。特に、似たような文字が記載されているタグが複数ある場合には、各タグを選択してみないと、ユーザが識別できない。この結果、複数のタグの中から所望のタグをユーザが抽出したくても、抽出するのに時間を要することとなる。
【００２９】
そこで、上記の問題を解決すべく、以下に説明する貼り付けタグの表示制御を行う。図３は、貼り付けタグの表示制御を説明するためのフローチャートである。図４は、表示部１４の状態遷移図である。
【００３０】
図３に示す表示制御は、制御回路１７が、表示部１４に標準画面を表示させているところから始まる（ステップＳ２）。本実施形態１では、図４（ａ）に示すように、複数（７個）の貼り付けタグＭ１〜Ｍ７が、縦に配列されて標準画面上に重ねて表示されているものとする。
【００３１】
次に、制御回路１７は、所定事象が発生したか否か、ここでは所定の時刻になったか否かを判断する（ステップＳ４）。具体的には、標準画面に表示されている時刻が、所定の時刻（ここでは、所定の時刻が図４（ａ）に示す１４：３０であるものとする）に至ったかを判断する。
【００３２】
そして、所定の時刻（１４：３０）になった場合には（ステップＳ４：Ｙｅｓ）、制御回路１７は、メモリ１６に記憶された各タグＭ１〜Ｍ７の貼り付けタグデータと、所定の時刻とを照合する（ステップＳ６）。具体的には、制御回路１７は、貼り付けタグＭ１〜Ｍ７の各貼り付けタグデータに、１４：３０に関連する文字や１４：３０に関連して実行するアプリの有無等の情報が含まれているか否かを判断する。例えば、貼り付けタグＭ１の貼り付けタグデータの表示テキストデータに、１４：３０の文字が含まれているものとする。
【００３３】
そして、制御回路１７は、標準画面に表示された複数の貼り付けタグＭ１〜Ｍ７を、所定の時刻に関連する貼り付けタグ（以下、対応タグと呼ぶ）と、所定の時刻に関連しない貼り付けタグ（以下、非対応タグと呼ぶ）とに分類する（ステップＳ８）。以下では、貼り付けタグＭ１が、対応タグに該当し、貼り付けタグＭ２〜Ｍ７が、非対応タグに該当するものとする。もちろん、対応タグが複数あっても良いのは言うまでもない。
【００３４】
次に、制御回路１７は、図４（ｂ）に示すように、標準画面上の対応タグＭ１の表示位置を維持したまま、非対応タグＭ２〜Ｍ７を表示部１４の端部に向かう方向（図４（ｂ）に示す矢印の方向）に移動させる（ステップＳ１０）。具体的には、制御回路１７は、非対応タグＭ２〜Ｍ７を平行に移動させるのではなく、傾かせながら標準画面の下方に移動させる。これにより、非対応タグＭ２〜Ｍ７が標準画面上を移動していることを、ユーザに認識させやすくなる。もちろん、非対応タグＭ２〜Ｍ７を平行移動させることとしても良い。
【００３５】
次に、制御回路１７は、移動して表示部１４の端部（以下、退避位置とも呼ぶ）に位置する非対応タグＭ２〜Ｍ７を重ねて表示させる（ステップＳ１２）。この際、制御回路１７は、図４（ｃ）に示すように、非対応タグＭ２〜Ｍ７の大きさを移動前に比べて小さくし、かつ、各非対応タグＭ２〜Ｍ７を傾かせて表示させる。これにより、狭い範囲である退避位置する非対応タグＭ２〜Ｍ７の存在をユーザが認識しやすくなる。
【００３６】
次に、図４（ｃ）に示す状態で、制御回路１７は、表示部１４の中央側に位置する対応タグＭ１が、ユーザによって選択されたか否かを判定する（ステップＳ１４）。なお、図４（ｃ）に示す状態では、ユーザは、対応タグＭ１は選択できる一方で、退避位置に位置する非対応タグＭ２〜Ｍ７は選択できない。
【００３７】
そして、対応タグＭ１が選択された場合には（ステップＳ１４：Ｙｅｓ）、制御回路１７は、対応タグＭ１に関連付けられたアプリケーションを実行する（ステップＳ１６）。例えば、対応タグＭ１がメール作成アプリケーションに関連づけられている場合には、制御回路１７は、対応タグＭ１がユーザによって選択されると、メール作成アプリケーションを起動させる。その後、メール作成アプリケーションの実行が終了すると、制御回路１７は、図４（ａ）に示す標準画面を表示して（ステップＳ１８）、本制御を終了する。
【００３８】
一方、対応タグＭ１が選択されない場合には（ステップＳ１４：Ｎｏ）、制御回路１７は、非対応タグＭ２〜Ｍ７を退避位置に向かって移動させてから一定時間（例えば、１５分）が経過したか否かを判定する（ステップＳ２０）。なお、この一定時間は、ユーザ等が任意に設定できる。そして、一定時間が経過する迄は（ステップＳ２０：Ｎｏ）、制御回路１７は、上述したステップＳ１４〜Ｓ１８の処理を繰り返す。
【００３９】
一方で、一定時間が経過した場合には（ステップＳ２０：Ｙｅｓ）、制御回路１７は、退避位置に位置する非対応タグＭ２〜Ｍ７を、対応タグＭ１に向かう方向（図４（ｄ）に示す矢印の方向）に移動させる（ステップＳ２２）。具体的には、図４（ｄ）に示すように、制御回路１７は、退避位置に位置する非対応タグＭ２〜Ｍ７を、標準画面の上方に向かって移動させる。この移動の際も、図４（ｂ）と同様に、制御回路１７は、非対応タグＭ２〜Ｍ７を傾かせながら標準画面上を移動させる。
【００４０】
なお、上記では、一定時間が経過すると、退避位置に位置する非対応タグを対応タグに向かって移動させる（図３のステップＳ２０、Ｓ２２）こととしたが、これに限定されない。例えば、非対応タグが退避位置に位置する際に、ユーザによる操作キー等の操作が行われると、退避位置に位置する非対応タグが、対応タグに向かって移動することとしても良い。
【００４１】
次に、制御回路１７は、標準画面上を移動した非対応タグＭ２〜Ｍ７と、対応タグＭ１とを、図４（ｅ）に示すように縦に配列した状態で表示させる（ステップＳ２４）。すなわち、制御回路１７は、ステップＳ１０で非対応タグＭ２〜Ｍ７が移動する前の貼り付けタグＭ１〜Ｍ７が配列された標準画面を表示させることとなる。これにより、本制御が終了する。
【００４２】
上述した表示制御によれば、標準画面に表示された複数の貼り付けタグを、対応タグと非対応タグに分類して、ユーザによる選択可能性が高い対応タグの表示を維持したまま、選択可能性が低いタグを移動させることにより、所望のタグをユーザが迅速に抽出することができる。
【００４３】
＝＝所定事象の発生に応じた貼り付けタグの表示制御の他の実施形態＝＝
図３においては、標準画面表示中に、所定事象の発生として所定の時刻になったかを判定した（ステップＳ４）が、所定事象はこれに限定されない。
【００４４】
例えば、制御回路１７は、ユーザにより入力された音声を認識した場合に、貼り付けタグを分類する（ステップＳ８）こととしても良い。具体的には、制御回路１７は、マイクロフォン１３２により入力された音声を認識した場合（より望ましくは、音声を認識し、その後、ユーザによってキー操作が行われた場合や、加速度センサー等により携帯電話機１の傾きを検出した場合）に、所定事象は発生したものと判断して、貼り付けタグを分類する。
【００４５】
この結果、標準画面に表示された貼り付けタグの中から、音声認識した内容に対応するタグの表示を維持したまま、他の貼り付けタグを退避位置に移動させることになる。これにより、ユーザは、標準画面上に表示された複数の貼り付けタグの中から、所望のタグを迅速に抽出することができる。
【００４６】
また、図４においては、非対応タグＭ２〜Ｍ７を退避位置に移動させる際に、対応タグＭ１の表示位置を維持したままにすることとしたが、これに限定されない。例えば、図５に示すように、対応タグの位置を変更しても良い。
【００４７】
図５は、他の実施形態に係る表示部の状態遷移図である。図５においては、対応タグは貼り付けタグＮ２であり、非対応タグは貼り付けタグＮ１、Ｎ３であるものとする。そして、非対応タグＮ１、Ｎ３を退避位置に移動させる際に、対応タグＮ２は、非対応タグＮ１の移動前の位置に移動する（図５（ｂ））。
【００４８】
その後、非対応タグＮ１、Ｎ３が戻った際には、図５（ｃ）に示すように、移動した非対応タグＮ１、Ｎ３が、対応タグＮ２の下方に位置する。つまり、制御回路１７は、非対応タグＮ１、Ｎ３が退避位置へ移動する前の貼り付けタグＮ１〜Ｎ３の配列順番と、非対応タグＮ１、Ｎ３が退避位置から戻った後の貼り付けタグＮ１〜Ｎ３の配列順番と、を異ならせている。
【００４９】
このように、非対応タグが退避位置に戻った際の貼り付けタグの配列順番を変更することにより、より選択可能性の高い貼り付けタグを標準画面の上方に位置させることにより、ユーザが所望の貼り付けタグを迅速に選択できる。
【００５０】
＝＝実施形態２に係る携帯電話機の構成＝＝
図６Ａおよび図６Ｂは、本実施形態２に係る携帯電話機本体の外観図であって、図６Ａは閉じられた状態の外観図を、図６Ｂは開けられた状態の外観図をそれぞれ示す。図７は、本実施形態２に係る携帯電話機の主要回路の構成例を示すブロック図である。
【００５１】
携帯電話機２０１は、図６Ａ、図６Ｂおよび図７に示すように、本体ケース１１、通信部１２、音声部１３、表示部１４、操作部１５、記憶部としてのメモリ１６、制御部の一例である制御回路２１７、可動機構部１８、および傾き検出部の一例である加速度センサー１９を有している。
【００５２】
本実施形態２における表示部１４は、本実施形態１における表示部１４と同様に、制御回路２１７の制御に基づいて、標準画面上に貼り付けタグを複数個、標準画面の背景表示に重ねて表示させることが可能である。
【００５３】
制御回路２１７は、マイクロコンピュータを主体して構成されて携帯電話機２０１の全体の制御を行う。たとえば、制御回路２１７は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。
【００５４】
制御回路２１７は、標準画面上に貼り付けられた貼り付けタグの表示を制御する表示制御部の機能を有する。なお、本実施形態２においては、制御回路２１７は、携帯電話機本体の傾きに応じた貼り付けタグの表示制御を行う（当該制御の詳細については、後述する）。
【００５５】
加速度センサー１９は、機器本体である携帯電話機本体の傾きを検出するためのものである。
【００５６】
＝＝携帯電話機本体の傾きに応じた貼り付けタグの表示制御＝＝
上述したように、標準画面には複数の貼り付けタグが貼り付けられる。しかし、複数の貼り付けタグが標準画面に貼り付けて表示されている場合には、タグに記載されている文字数が限られているため、貼り付けタグをユーザが区別し難い。特に、似たような文字が記載されているタグが複数ある場合には、各タグを選択してみないと、ユーザが識別できない。この結果、複数のタグの中から所望のタグをユーザが抽出したくても、抽出するのに時間を要することとなる。
【００５７】
そこで、上記の問題を解決すべく、本実施形態２の携帯電話機２０１は、以下に説明する携帯電話機本体の傾きに応じた貼り付けタグの表示制御を行う。図８は、携帯電話機本体の傾きに応じた貼り付けタグの表示制御を説明するためのフローチャートである。図９は、表示部１４の状態遷移図である。
【００５８】
図８に示す表示制御は、制御回路２１７が、表示部１４に標準画面を表示させているところから始まる（ステップＳ４２）。本実施形態２では、図９（ａ）に示すように、複数（６個）の貼り付けタグＭ１〜Ｍ６が、縦に配列されて標準画面に貼り付けて（重ねて）表示されているものとする。ここで、貼り付けタグＭ１〜Ｍ６の配列順は、作成された順番になっている（つまり、貼り付けタグＭ１が、最初に作成されている）。なお、図９（ａ）に示す貼り付けタグの表示状態が、複数の貼り付けタグが配列して表示される第１表示状態に相当する。
【００５９】
次に、制御回路２１７は、携帯電話機本体の傾きを検出する（ステップＳ４４）。具体的には、制御回路２１７は、加速度センサー１９により、携帯電話機本体が所定時間だけ傾いているか否かを検出する。そして、携帯電話機本体の傾きが検出された場合には（ステップＳ４４：Ｙｅｓ）、制御回路２１７は、貼り付けタグＭ１〜Ｍ６を、表示部１４の端部に向かう方向（図９（ｂ）に示す矢印の方向）に移動させる（ステップＳ４６）。具体的には、制御回路２１７は、貼り付けタグＭ１〜Ｍ６を平行に移動させるのではなく、傾かせながら標準画面の下方に移動させる。これにより、貼り付けタグＭ１〜Ｍ６が標準画面上を移動していることを、ユーザに認識させやすくなる。もちろん、貼り付けタグＭ１〜Ｍ６を平行移動させることとしても良い。
【００６０】
次に、制御回路２１７は、移動して表示部１４の端部（以下、退避位置とも呼ぶ）に位置する貼り付けタグＭ１〜Ｍ６を重ねて表示させる（ステップＳ４８）。これにより、複数の貼り付けタグが一時的に移動したことを容易に認識できる。この際、制御回路２１７は、図９（ｃ）に示すように、貼り付けタグＭ１〜Ｍ６の大きさを移動前に比べて小さくし、かつ、貼り付けタグＭ１〜Ｍ６を傾かせて表示させる。これにより、狭い範囲である退避位置する貼り付けタグＭ１〜Ｍ６の存在をユーザが認識しやすくなる。なお、図９（ｃ）に示す貼り付けタグの表示状態が、複数の貼り付けタグが配列して表示されない第２表示状態に相当する。
【００６１】
第２表示状態にある際に、加速度センサー１９により携帯電話機本体の傾きを検出すると（ステップＳ５０：Ｙｅｓ）、制御回路２１７は、貼り付けタグの優先順位を判断する（ステップＳ５２）。ここで、優先順位とは、以下のように定められる。例えば、選択頻度（タグのクリック回数）が多い貼り付けタグであるほど、優先順位が高くなる。また、現在の時刻に対応した貼り付けタグであるほど、優先順位が高くなる。ここでは、貼り付けタグＭ２、Ｍ３、Ｍ４が、優先順位の高いタグとし、貼り付けタグＭ１、Ｍ５、Ｍ６が、優先順位の低いタグであることとする。なお、選択頻度等の情報は、メモリに１６に記憶されている。
【００６２】
そして、制御回路２１７は、優先順位の低い貼り付けタグＭ１、Ｍ５、Ｍ６の表示位置（退避位置）を維持したまま、優先順位の高い貼り付けタグＭ２、Ｍ３、Ｍ４を、標準画面上で表示部１４の中央側へ移動させる（ステップＳ５４）。なお、ここでは、６個の貼り付けタグのうち３つの貼り付けタグＭ１、Ｍ５、Ｍ６を選択して移動させているが、これに限定されず、１つの貼り付けタグを選択して移動させることとしても良い。
【００６３】
次に、制御回路２１７は、図９（ｄ）に示すように、貼り付けタグＭ２、Ｍ３、Ｍ４を標準画面上で縦に配列して表示させる（ステップＳ５６）。つまり、優先順位に応じて、貼り付けタグを二つのグループに分けている。このように、選択される可能性が高い貼り付けタグＭ２、Ｍ３、Ｍ４を配列させることにより、ユーザは所望の貼り付けタグを選択しやすくなる。なお、図９（ｄ）に示す貼り付けタグＭ２、Ｍ３、Ｍ４の表示状態が、第３表示状態に相当する。
【００６４】
ところで、図９（ｄ）に示すように、貼り付けＭ２、Ｍ３、Ｍ４の配列順番は、図９（ａ）の配列順番とは異なる。具体的には、貼り付けタグＭ３とＭ４の順番が入れ替わっている。これは、貼り付けタグＭ４の方が、貼り付けタグＭ３よりも優先順位が高いためである（なお、貼り付けタグＭ２は、貼り付けタグＭ３よりも優先順位が高い）。このように、優先順位の高い順に貼り付けタグが配列されているので、ユーザは所望の貼り付けタグをより容易に選択できる。
【００６５】
第３表示状態にある際に、加速度センサー１９により携帯電話機本体の傾きを検出すると（ステップＳ５８：Ｙｅｓ）、制御回路２１７は、退避位置に位置する貼り付けタグＭ１、Ｍ５、Ｍ６を、標準画面上で表示部１４の中央側へ移動させる（ステップＳ６０）。そして、制御回路２１７は、図９（ｅ）に示すように、貼り付けタグＭ１〜Ｍ６を優先順位の高い順に配列して表示させる（ステップＳ６２）。つまり、図９（ｅ）に示す貼り付けタグの配列順番は、図９（ａ）に示す貼り付けタグの配列順番と異なる。
【００６６】
なお、第１表示状態と第３表示状態の表示がされている際に、ユーザは、縦に配列されている貼り付けタグを、操作部１５のキーによって選択できる。そして、貼り付けタグが選択されると、制御回路２１７は、貼り付けタグに関連付けられたアプリケーションを実行する。例えば、貼り付けタグＭ２がメール作成アプリケーションに関連付けられている場合には、制御回路２１７は、第３表示状態において貼り付けタグＭ２が選択されると、メール作成アプリケーションを起動させる。その後、メール作成アプリケーションの実行が終了すると、制御回路２１７は、第３表示状態に表示を切り替える。
【００６７】
上述したステップＳ５０において携帯電話機本体の傾きが検出されずに（ステップＳ５０：Ｎｏ）、第２表示状態に遷移してから一定時間が経過した場合には（ステップＳ６４：Ｙｅｓ）、制御回路２１７は、退避位置に位置する貼り付けタグＭ１〜Ｍ６を表示部１４の中央側に移動させて、図９（ａ）に示すように貼り付けタグＭ１〜Ｍ６を表示させる（ステップＳ６６）。すなわち、制御回路２１７は、第２表示状態から第１表示状態へ遷移させる。
【００６８】
同様に、ステップＳ５８において携帯電話機本体の傾きが検出されずに（ステップＳ５８：Ｎｏ）、第３表示状態に遷移してから一定時間が経過した場合には（ステップＳ６８：Ｙｅｓ）制御回路２１７は、退避位置に位置する貼り付けタグＭ１、Ｍ５、Ｍ６を表示部の中央側に移動させて、図９（ａ）に示すように貼り付けタグＭ１〜Ｍ６を表示させる（ステップＳ６６）。すなわち、制御回路２１７は、貼り付けタグの表示を、第３表示状態から第１表示状態へ遷移させる。
【００６９】
上述した表示制御においては、制御回路２１７は、第２表示状態にある貼り付けタグＭ１〜Ｍ６のうちの貼り付けタグＭ２、Ｍ３、Ｍ４を選択して移動させて、移動した貼り付けタグＭ２、Ｍ３、Ｍ４が配列して表示される第３表示状態に遷移させる。これにより、標準画面に表示された複数の貼り付けタグのうち、優先順位の低い貼り付けタグを退避位置に位置した状態で、優先順位の高い貼り付けタグを移動させて配列させることにより、所望のタグをユーザが迅速に抽出することができる。
【００７０】
なお、上述した表示制御においては、携帯電話機本体の傾きの検出を契機として標準画面上のオブジェクトの配置を変更することとしたが、所定の時刻になったこと、音声を認識したこと、操作部１５の所定のキーの押下等の他の所定事象の検出を契機として標準画面上のオブジェクトの配置を変更することとしてもよい。
【００７１】
＝＝その他の実施形態＝＝
一実施形態としての携帯電話機等を説明したが、上記の各実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７２】
また、実施形態１に示した携帯電子機器の構成と、実施形態２に示した携帯電子機器の構成とを適宜組み合わせて携帯電子機器を構成してもよい。また、実施形態１に示した表示制御方法と、実施形態２に示した表示制御方法とを適宜組み合わせて実施してもよい。
【００７３】
また、上記の各実施形態においては、携帯電子機器として携帯電話機１および携帯電話機２０１について説明しているが、これに限定されず、ＰＨＳ（登録商標：Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、電子辞書、ノートパソコン等であっても良い。
【００７４】
また、上記実施の形態においては、携帯電話機１または携帯電話機２０１は、図１Ａ、図１Ｂ、図６Ａおよび図Ｂに示すように水平回転する構成であることとしたが、これに限定されない。例えば、携帯電話機１および携帯電話機２０１は、ストレート式、フリップ式の携帯電話機や、折り畳み式の携帯電話機や、スライド移動する携帯電話機等であっても良い。
【００７５】
また、上記の各実施形態においては、退避位置に位置する貼り付けタグを表示している（図４（ｃ）、図９（ｃ））が、これに限定されない。例えば、退避位置に位置する貼り付けタグは、表示されないこととしても良い。もちろん、その後、中央側に向かって移動する際に、非対応タグが表示されることとなる。
【００７６】
また、上記の各実施形態においては、標準画面上に表示されるオブジェクトとして貼り付けタグを例に挙げて説明したが、これに限定されない。例えば、オブジェクトがアイコンやファイル等であっても良い。
【００７７】
図１０〜図１２を参照しながら、標準画面上に表示されたアイコンの表示制御の例について説明する。図１０は、標準画面上にアイコンを表示させる携帯電話機の外観図である。図１１は、図１０に示す携帯電話機の主要回路の構成例を示すブロック図である。図１２は、図１０に示す携帯電話機の表示部の状態遷移図である。
【００７８】
携帯電話機４０１は、図１０および図１１に示すように、本体ケース４１１、通信部１２、音声部１３、表示部４１４、メモリ１６、制御部としての制御回路４１７、および加速度センサー１９を有している。
【００７９】
表示部４１４は、図１０に示すように、ケース本体４１１の外部に露出する液晶表示装置（ＬＣＤ）等の表示デバイスを有し、通話機能のために入力した電話番号や各種メッセージ、各種アイコンなどを表示する。また、表示部４１４が有する表示デバイスには、指等の接触を検出する静電容量式や感圧式等のタッチセンサが重畳されている。すなわち、表示部４１４は、操作部としても機能し、利用者が指等で表示部４１４の表面に対して行った操作をタッチセンサによって検出する。
【００８０】
表示部４１４は、制御回路４１７の制御に基づいて、標準画面上にアイコン（オブジェクトの一例）を複数個、標準画面の背景表示に重ねて表示させることが可能である。標準画面に表示されるアイコンは、それぞれ特定のアプリケーションまたはデータと関連付けられる。アイコンに対するタップ（クリック）が表示部４１４で検出されると、制御回路４１７によって、そのアイコンに関連付けられたアプリケーションの起動や、そのアイコンに関連付けられたデータを用いた処理の実行（例えば、関連付けられた画像データの表示）がおこなわれる。
【００８１】
制御回路４１７は、マイクロコンピュータを主体して構成されて携帯電話機４０１の全体の制御を行う。たとえば、制御回路４１７は、通信部１２における各種情報の無線による送受信の制御、音声処理部１３に対する音声情報の処理、表示部４１４への情報の表示制御、表示部４１４にて検出された操作に応じた処理、およびメモリ１６への処理に応じたアクセス制御等を行う。また、制御回路４１７は、標準画面上に配置されたアイコンの表示を制御する表示制御部の機能を有する。
【００８２】
例えば、図１２（ａ）に示すように、複数（１１個）のアイコンＩ１〜Ｉ１１が、等間隔に配列されて標準画面に重畳して表示されているものとする。ここで、アイコンＩ１〜Ｉ１１の配列順は、作成された順番になっている。具体的には、最初に作成されたアイコンＩ１が左上に表示され、２番目に作成されたアイコンＩ２がその右隣に表示されている。３番目以降に作成されたアイコンは、１つ前に作成されたアイコンの右隣に十分な余地があればそこに配置され、右隣に十分な余地がなければ次の行の左端に配置される。なお、図１２（ａ）に示すアイコンの表示状態が、複数のアイコンが配列して表示される第１表示状態に相当する。アイコンは、携帯電話機のデフォルトのメニュー画面のように、予め作成されていてもよい。
【００８３】
そして、携帯電話機本体の傾きが検出された場合には、制御回路４１７は、図１２（ｂ）に示すように、アイコンＩ１〜Ｉ１１を、表示部４１４の端部に向かう方向（図１２（ｂ）に示す矢印の方向）に移動させる。具体的には、制御回路４１７は、アイコンＩ１〜Ｉ１１を平行に移動させるのではなく、傾かせながら標準画面の下方に移動させる。これにより、アイコンＩ１〜Ｉ１１が標準画面上を移動していることを、ユーザに認識させやすくなる。もちろん、アイコンＩ１〜Ｉ１１を平行移動させることとしても良い。
【００８４】
次に、制御回路４１７は、図１２（ｃ）に示すように、移動して表示部４１４の端部（以下、退避位置とも呼ぶ）に位置するアイコンＩ１〜Ｉ１１を重ねて表示させる。これにより、複数のアイコンが一時的に移動したことを容易に認識できる。この際、制御回路４１７は、アイコンＩ１〜Ｉ１１の大きさを移動前に比べて小さくし、かつ、アイコンＩ１〜Ｉ１１を傾かせて表示させる。これにより、狭い範囲である退避位置するアイコンＩ１〜Ｉ１１の存在をユーザが認識しやすくなる。なお、図１２（ｃ）に示すアイコンの表示状態が、複数のアイコンが配列して表示されない第２表示状態に相当する。
【００８５】
第２表示状態にある際に、加速度センサー１９が携帯電話機本体の傾きを検出すると、制御回路４１７は、アイコンの優先順位を判断する。ここで、優先順位とは、以下のように定められる。例えば、選択頻度（アイコンのタップ回数）が多いアイコンであるほど、優先順位が高くなる。あるいは、最後に選択（タップ）された日時が近いアイコンであるほど、優先順位が高くなる。ここでは、アイコンＩ２、Ｉ３、Ｉ４、Ｉ８が、優先順位の高いアイコンであることとし、他のアイコンが、優先順位の低いアイコンであることとする。また、アイコンＩ２、Ｉ３、Ｉ４、Ｉ８の優先順位は、アイコンＩ２、Ｉ４、Ｉ３、Ｉ８の順に高いものとする。なお、選択頻度等の情報は、メモリに１６に記憶されている。
【００８６】
そして、制御回路４１７は、優先順位の低いアイコンの表示位置（退避位置）を維持したまま、優先順位の高いアイコンＩ２、Ｉ３、Ｉ４、Ｉ８を、標準画面上で表示部４１４の中央側へ移動させる。なお、ここでは、１１個のアイコンのうち４つのアイコンを選択して移動させているが、これに限定されず、１つのアイコンを選択して移動させることとしても良い。
【００８７】
次に、制御回路４１７は、図１２（ｄ）に示すように、アイコンＩ２、Ｉ３、Ｉ４、Ｉ８を標準画面上に配列して表示させる。つまり、制御回路４１７は、優先順位に応じて、アイコンを二つのグループに分ける。このように、選択される可能性が高いアイコンＩ２、Ｉ３、Ｉ４、Ｉ８を配列させることにより、ユーザは所望のアイコンを選択しやすくなる。なお、図１２（ｄ）に示すアイコンＩ２、Ｉ３、Ｉ４、Ｉ８の表示状態が、第３表示状態に相当する。
【００８８】
ところで、図１２（ｄ）に示すように、アイコンＩ２、Ｉ３、Ｉ４、Ｉ８の配列順番は、図１２（ａ）の配列順番とは異なる。具体的には、アイコンＩ３とＩ４の順番が入れ替わっている。これは、アイコンＩ４の方が、アイコンＩ３よりも優先順位が高いためである。このように、優先順位の高い順にアイコンが配列されているので、ユーザは所望のアイコンをより容易に選択できる。
【００８９】
第３表示状態にある際に、加速度センサー１９により携帯電話機本体の傾きを検出すると、制御回路４１７は、退避位置に位置するアイコンＩ１、Ｉ５〜Ｉ７、Ｉ９〜Ｉ１１を、標準画面上で表示部４１４の中央側へ移動させる。そして、制御回路４１７は、図１２（ｅ）に示すように、アイコンＩ１〜Ｉ１１を優先順位の高い順に配列して表示させる。つまり、図１２（ｅ）に示すアイコンの配列順番は、図１２（ａ）に示すアイコンの配列順番と異なる。
【００９０】
なお、第１表示状態と第３表示状態の表示がされている際に、ユーザは、配列されているアイコンを、表示部４１４上でタップすることによって選択できる。そして、アイコンが選択されると、制御回路４１７は、アイコンに関連付けられたアプリケーションの起動等を実行する。例えば、アイコンＩ２がメール作成アプリケーションに関連付けられている場合には、制御回路４１７は、第３表示状態においてアイコンＩ２が選択されると、メール作成アプリケーションを起動させる。その後、メール作成アプリケーションの実行が終了すると、制御回路４１７は、第３表示状態に表示を切り替える。
【００９１】
第２表示状態に遷移した後、携帯電話機本体の傾きが検出されずに一定時間が経過した場合には、制御回路４１７は、退避位置に位置するアイコンＩ１〜Ｉ１１を表示部１４の中央側に移動させて、図１２（ａ）に示すようにアイコンＩ１〜Ｉ１１を表示させる。すなわち、制御回路４１７は、第２表示状態から第１表示状態へ遷移させる。
【００９２】
同様に、第３表示状態に遷移した後、携帯電話機本体の傾きが検出されずに一定時間が経過した場合には、制御回路４１７は、退避位置に位置するアイコンＩ１、Ｉ５〜Ｉ７、Ｉ９〜Ｉ１１を表示部４１４の中央側に移動させて、図１２（ａ）に示すようにアイコンＩ１〜Ｉ１１を表示させる。すなわち、制御回路４１７は、アイコンの表示を、第３表示状態から第１表示状態へ遷移させる。
【００９３】
上述した表示制御においては、制御回路４１７は、第２表示状態にあるアイコンＩ１〜Ｉ１１のうちのアイコンＩ２、Ｉ３、Ｉ４、Ｉ８を選択して移動させて、移動したアイコンＩ２、Ｉ３、Ｉ４、Ｉ８が配列して表示される第３表示状態に遷移させる。これにより、標準画面に表示された複数のアイコンのうち、優先順位の低いアイコンを退避位置に位置した状態で、優先順位の高いアイコンを移動させて配列させることにより、所望のアイコンをユーザが迅速に選択することができる。
【符号の説明】
【００９４】
１、２０１、４０１  携帯電話機
１１、４１１  本体ケース
１２  通信部
１２１  送受信アンテナ
１２２  無線回路
１３  音声処理部
１３１  音声処理回路
１３２  マイクロフォン
１３３  スピーカ
１４、４１４  表示部
１５  操作部
１６  メモリ
１７、２１７、４１７  制御回路
１８  可動機構部
１９  加速度センサー
【図１Ａ】
0005503669.tif 000002
【図１Ｂ】
0005503669.tif 000003
【図２】
0005503669.tif 000004
【図３】
0005503669.tif 000005
【図４】
0005503669.tif 000006
【図５】
0005503669.tif 000007
【図６Ａ】
0005503669.tif 000008
【図６Ｂ】
0005503669.tif 000009
【図７】
0005503669.tif 000010
【図８】
0005503669.tif 000011
【図９】
0005503669.tif 000012
【図１０】
0005503669.tif 000013
【図１１】
0005503669.tif 000014
【図１２】
0005503669.tif 000015